(57)【要約】【課題】簡単な構成で、トレイの安定したロックが可能なディスク装置を提供する。【解決手段】トレイ３００のトレイ下面部３２０に係合面３３１を備えたトレイロック部３３０が設けられ、ロックアーム２２２のロック係合部２２２Ｄをトレイ下面部３２０に対して進退させて、トレイロック部３３０とロック係合部２２２Ｄの係脱状態によりトレイのロックおよびロック解除を実施する。これにより、トレイロック部３３０の搬送方向に対して直交する幅寸法を大きくでき、ディスク装置に加わる衝撃の負荷を効率よく分散して安定したロックが可能となる。【選択図】図３
2007149243.tif 000002
【特許請求の範囲】
【請求項１】
往復移動可能に設けられ、この往復移動によりディスク状の記録媒体を移動方向に搬送する平面状のトレイを所定位置にロックするロック機構であって、
前記トレイの一部に設けられる係脱部と、
前記トレイの平面に対して進退自在に設けられ、前記係脱部に係合可能な係合部を備えたロック手段と、
を備えたことを特徴としたロック機構。
【請求項２】
請求項１に記載のロック機構であって、
前記トレイは、平面方向に沿って往復移動自在に設けられた
ことを特徴としたロック機構。
【請求項３】
請求項１または請求項２に記載のロック機構であって、
前記トレイは、複数の係脱部を備え、
前記ロック手段は、前記係脱部に対応して複数設けられた
ことを特徴としたロック機構。
【請求項４】
請求項２に記載のロック機構であって、
前記トレイは、前記移動方向に沿う両側近傍に前記係脱部を備え、
前記ロック手段は、前記係脱部に対応する位置にそれぞれ設けられた
ことを特徴としたロック機構。
【請求項５】
請求項４に記載のロック機構であって、
前記トレイの移動方向に沿う両側近傍の前記係脱部に対応する２つのロック手段は、連結部により連結されて一体的に形成された
ことを特徴としたロック機構。
【請求項６】
請求項５に記載のロック機構であって、
前記連結部は、屈曲して形成された
ことを特徴としたロック機構。
【請求項７】
請求項１ないし請求項６のいずれかに記載のロック機構と、
前記トレイを前記移動方向に沿って出し入れ自在な出入口を備え、前記トレイを往復移動可能に支持するとともに、前記ロック手段を内部に収納する外装ケースと、
前記トレイおよび前記外装ケースのうちいずれか一方に設けられるとともに、前記トレイにて搬送された記録媒体に情報を書き込む書込み処理、および前記記録媒体の情報を読み込む読込処理のうち少なくともいずれか一方の処理を実施する情報処理部と、
を具備したことを特徴とした記録媒体駆動装置。
【発明の詳細な説明】
【技術分野】
【０００１】
本発明は、トレイの移動を規制するロック機構、および記録媒体駆動装置に関する。
【背景技術】
【０００２】
従来、本体に対して出し入れ自在に設けられるトレイに記録媒体を載置し、記録媒体の挿排を実施するディスク装置が知られている。（例えば、特許文献１参照）。
【０００３】
この特許文献１に記載のものは、上カバーと下カバーとの間に形成された空間にターンテーブルを回転自在に保持するトレイを有するドライブ装置である。このドライブ装置では、トレイは、両側に前後方向に摺動可能に取り付けられたガイドレールを介して支持されている。そして、このドライブ装置では、このトレイの下面側から突出する軸にロックアームが回動可能に取り付けられ、トレイ収納時に下カバーから、ロックアームの回動中心軸の前後位置に配置される第１および第２のロックピンにロックアームの両端が係止されてトレイがロックされる構成が採られている。
【０００４】
【特許文献１】特開２００３−２７２２７３号広報（第３頁右欄ないし第５頁左欄、図４ないし図８参照）
【発明の開示】
【発明が解決しようとする課題】
【０００５】
ところで、特許文献１のような従来の構成では、ロックアームの両端部がそれぞれロックピンと係合することで耐衝撃性を補っている。しかしながら、ロックアームが支持されている前後位置にロックピンが設けられているため、衝撃が加わった際に、寸法精度の面で荷重の分配が困難である、すなわち、２つのロックピンのうちどちらかにガタツキが生じてしまうという問題が一例として挙げられる。
【０００６】
本発明は、簡単な構成で、安定したロックが可能なロック機構、および記録媒体駆動装置を提供することを１つの目的とする。
【課題を解決するための手段】
【０００７】
請求項１に記載の発明は、往復移動可能に設けられ、この往復移動によりディスク状の記録媒体を移動方向に搬送する平面状のトレイを所定位置にロックするロック機構であって、前記トレイの一部に設けられる係脱部と、前記トレイの平面に対して進退自在に設けられ、前記係脱部に係合可能な係合部を備えたロック手段と、を備えたことを特徴としたロック機構である。
【０００８】
請求項７に記載の発明は、請求項１ないし請求項６のいずれかに記載のロック機構と、前記トレイにて搬送された記録媒体に情報を書き込む書込み処理、および前記記録媒体の情報を読み込む読込処理のうち少なくともいずれか一方の処理を実施する情報処理部と、前記トレイを前記移動方向に沿って出し入れ自在な出入口を備え、前記トレイを往復移動可能に支持するとともに、前記ロック手段を内部に収納する外装ケースと、を具備したことを特徴とした記録媒体駆動装置である。
【発明を実施するための最良の形態】
【０００９】
〔ディスク装置の構成〕
以下、本発明における一実施の形態のディスク装置を図面に基づいて説明する。図１は、本発明における一実施の形態のディスク装置の内部構成を示す平面図である。図２は、ディスク装置のケース体からトレイを引き出した際のトレイおよびケース体の構成を示す平面図である。図３は、トレイのロック機構の概略を模式的に示す側面図である。図４は、ロック機構のロックアームを示す斜視図である。
【００１０】
図１および図２において、１００は、本発明の一実施の形態にかかる記録媒体駆動装置としてのディスク装置であり、このディスク装置１００は、例えば携帯型のパーソナルコンピュータなどの電気機器に装着されるいわゆるスリムディスク装置（或いはスリムディスクドライブ）と称されるものである。このディスク装置１００は、着脱可能に装着される面状の記録媒体、例えばＣＤ(Compact Disc)やＤＶＤ(Digital Versatile Disc)などにおける少なくとも一面に設けられた図示しない記録面に記録された情報を読み出す情報処理である読取処理および記録面へ各種情報を記録する情報処理である記録処理の少なくとも一方の処理をする。そして、ディスク装置１００は、外装ケースとしてのケース体２００と、ロック機構を構成するトレイ３００と、などを備えている。
【００１１】
トレイ３００は、例えば合成樹脂などにて形成された略板状に形成され、ケース体２００の出入口としての開口部２０１から進出自在に設けられている。このトレイ３００の一縁側には、トレイ３００がケース体２００内部に収納された状態で、ケース体２００の開口部２０１を閉塞する化粧板３０１が設けられている。
【００１２】
トレイ３００の上面側には、記録媒体としての光ディスクの径寸法より若干大きい円弧状凹部３１０が設けられている。また、トレイ３００には、化粧板３０１側の一端部から円弧状凹部３１０の略中心に向かってディスク処理部２０が設けられている。さらに、トレイ３００の化粧板３０１の一部には、図示しないイジェクトボタンが設けられており、後述の制御回路部と電気的に接続されている。
【００１３】
ディスク処理部２０は、例えば金属板にて略板状に形成され一端が揺動自在にトレイ３００に支持された台座部２１を有している。この台座部２１は、トレイ３００の化粧板３０１側の一端部から、中心位置に向かって長手に形成されている。また、台座部２１には、長手方向に沿って、長手状の処理開口部２１Ａが略中央に切欠形成されている。そして、台座部２１の処理開口部２１Ａの一端側にディスク回転駆動手段２２が配設されている。このディスク回転駆動手段２２は、図示しないスピンドルモータと、このスピンドルモータの出力軸に一体的に設けられた保持部としてのターンテーブル２３とを備えている。スピンドルモータは、制御回路部に制御可能に接続され、制御回路部から供給される電力により駆動する。ターンテーブル２３は、トレイ３００の略中心部に設けられるとともに光ディスクを回転駆動する駆動部である。
【００１４】
また、台座部２１には、情報処理部２４が配設されている。この情報処理部２４は、一対のガイドシャフト２５間に架橋する状態に支持されており、図示しない移動機構により処理開口部２１Ａ内でターンテーブル２３に対して近接離隔される。この情報処理部２４は、図示しない光源と、この光源からの光を収束するピックアップレンズ２４Ａと、光ディスクで反射された出射光を検出する図示しない光センサとを有するピックアップを備えている。
【００１５】
一方、トレイ３００の下面側であるトレイ下面部３２０は、トレイ３００がケース体２００に収納された状態において、ケース体２００の下ケース２０２との間に所定寸法の隙間が形成されるように形成されている。そして、このトレイ下面部３２０には、係脱部としてのトレイロック部３３０と、図示しない制御回路部となどが設けられている。トレイロック部３３０は、トレイ３００の両側面近傍にそれぞれ設けられている。
【００１６】
トレイロック部３３０は、図３および図４に示すように、トレイ下面部３２０からケース体２００の下ケース２０２側に向かって突出形成されている。このトレイロック部３３０の前面側、すなわち化粧板３０１側には、トレイ下面部３２０の面から立ち上がる係合面３３１が形成されている。この係合面３３１は、トレイ３００の幅方向、すなわちトレイ３００の進退方向に略直交する方向に長手状に形成され、この係合面３３１に後述するロック機構を構成するロック手段としてのロックアーム２２２が係合することによりトレイ３００がケース体２００にロックされる。一方、トレイロック部３３０の奥側、すなわち化粧板３０１から遠ざかる側には、トレイ下面部３２０に向かって傾斜するテーパ面３３２が形成されている。これにより、トレイ３００をケース体２００の内部に収納する際、トレイロック部３３０の進路上にロックアーム２２２があった場合でも、テーパ面３３２でロックアーム２２２を押し下げて、スムーズにトレイ３００を奥側まで移動させることが可能となる。
【００１７】
制御回路部は、ディスク処理部２０の動作を制御して、例えば情報処理部２４に記録媒体の情報読込処理や情報書込処理を実施させたりする。また、制御回路部は、ターンテーブル２３の回転動作や、情報処理部２４の移動動作、台座部２１の動作などをも制御する。さらに、制御回路部は、ケース体２００に設けられる図示しない回路部に例えばフレキシブル回路などにより電気的に接続されている。そして、制御回路部は、化粧板３０１に設けられたイジェクトボタンから入力されるイジェクト命令信号を回路部に出力する。
【００１８】
ケース体２００は、底部側の下ケース２０２と天面側の図示しない上ケースとにより構成され、内部に空間を有する略四角箱状に形成されている。このケース体２００は、一面側に開口部２０１を有している。そして、ケース体２００には、開口部２０１を介してトレイ３００が進退自在に設けられている。また、ケース体２００の内部には、トレイ３００の進退方向に沿って配設されるレール部２１０と、トレイ３００の進退移動を規制するトレイ移動規制部２２０と、ディスク装置の動作の制御などを実施する図示しない回路部とが設けられている。
【００１９】
レール部２１０は、ケース体２００の開口部２０１からトレイ３００の進退方向に沿って配設され、トレイ３００の両側面に沿って設けられている。このレール部２１０は、ケース体２００に固定される一対のレール２１１と、トレイ３００に摺動可能に設けられるレールガイド２１２と、を備えている。レール２１１は、開口部２０１の左右両端からケース体２００の奥側に向かって延出して形成されている。これらのレール２１１は、互いに対向する面が開口する断面略コ字状の凹溝を備えて形成され、この凹溝にそれぞれレールガイド２１２が摺動自在に支持されている。また、レール２１１には、図示しない摺動規制部が設けられており、レールガイド２１２の摺動範囲を規制している。すなわち、レール２１１の摺動規制部は、開口部２０１側にレールガイド２１２が移動した際に、レールガイド２１２が凹溝から外れて抜け落ちるのを防止している。
【００２０】
レールガイド２１２はトレイ３００の両側面にそれぞれ設けられており、前述したように、レール２１１の凹溝に摺動可能に保持されている。また、レールガイド２１２は、トレイ３００に対して摺接自在に取り付けられている。また、トレイ３００には、図示しない移動規制部が設けられており、この移動規制部によりレールガイド２１２は摺動範囲を規制され、トレイ３００がレールガイド２１２からの抜け落ちを防止している。
【００２１】
トレイ移動規制部２２０は、トレイ３００がケース体２００の内部に収納された状態で、トレイ下面部３２０および下ケース２０２の間に設けられている。このトレイ移動規制部２２０は、下ケース２０２に固定されるソレノイドホルダ２２１と、ロック機構を構成するロック手段としてのロックアーム２２２と、ソレノイドホルダ２２１に固定されるソレノイド２２３と、ソレノイドホルダ２２１に固定されて図示ロックアーム２２２を保持する図示しないロックアームホルダと、を備えている。ソレノイドホルダ２２１は、ケース体２００の下ケース２０２の所定位置に固定されている。
【００２２】
ロックアーム２２２は、図３および図４に示すように、トレイ３００のトレイ下面部３２０に対向するロック面２２２Ａと、ロック面２２２Ａに略直交してソレノイド２２３に係合されるアーム駆動面２２２Ｂとを備えた断面略Ｌ字状に形成されている。ロック面２２２Ａおよびアーム駆動面２２２Ｂの間には、トレイ３００の搬送方向に略直交する取付軸２２２Ｃが挿通され、この取付軸はソレノイドホルダ２２１に固定されるロックアームホルダに回転可能に保持されている。すなわち、ロックアーム２２２は、取付軸２２２Ｃを中心軸として回動可能にロックアームホルダに支持されている。
【００２３】
ロック面２２２Ａは、取付軸２２２Ｃから開口部２０１側に向かって水平方向に延出する水平部２２２Ａ１と、水平部２２２Ａ１の端部から下ケース２０２側に傾斜する傾斜部２２２Ａ２と、傾斜部２２２Ａ２から開口部２０１側に向かって水平方向に延出する係合形成部２２２Ａ３とを備えている。そして、係合形成部２２２Ａ３には、トレイ３００のトレイ下面部３２０側に向かって突出する係合部としてのロック係合部２２２Ｄが形成されている。このロック係合部２２２Ｄの開口部２０１側には、ロック面２２２Ａに向かって傾斜するテーパ面２２２Ｅが形成されている。このテーパ面２２２Ｅは、トレイ３００を外部からケース体２００の内部に収納する際に、トレイロック部３３０のテーパ面３３２が当接され、下ケース２０２側に押し下げられる。また、ロック係合部２２２Ｄの開口部２０１から遠ざかる側には、ロック面２２２Ａから略直交する方向に立ち上がるロック係合面２２２Ｆが形成されている。このロック係合面２２２Ｆは、トレイ３００がケース体２００の内部に収納された状態において、トレイ３００の係合面３３１と当接して係合される。これにより、トレイ３００がケース体２００にロックされる。また、ロック状態において、ロック係合面２２２Ｆは、トレイ３００の搬送方向に対して略直交する方向の長さ寸法が、トレイ３００の係合面３３１と略同一寸法に形成されており、長手状の係合面３３１の略全面に当接して係合される。
【００２４】
アーム駆動面２２２Ｂは、略中心にアーム回動軸２２３Ｂに係合される切欠部２２２Ｇを備えている。アーム駆動面２２２Ｂは、ソレノイド２２３の駆動力により、取付軸２２２Ｃを中心に回動される。そして、ソレノイド２２３により開口部２０１とは反対側である背面側に引っ張られると、ロック係合部２２２Ｄがトレイ３００から離れる方向に回動し、トレイロック部３３０との係合状態が解除される。すなわち、ロック状態が解除され、トレイ３００をケース体２００から進退させることが可能な状態となる。
【００２５】
ソレノイド２２３は、ソレノイド本体２２３Ａと、アーム回動軸２２３Ｂと、を備えている。
【００２６】
ソレノイド本体２２３Ａは、ソレノイドホルダ２２１に固定され、制御回路部に電気的に接続されている。そして、ソレノイド本体２２３Ａは、制御回路部から入力される信号に基づいて駆動し、アーム回動軸２２３Ｂを前後方向、すなわちトレイ３００の搬送方向に進退させる。
【００２７】
アーム回動軸２２３Ｂは、ソレノイド本体２２３Ａから開口部２０１側に延出して設けられ、ソレノイド本体２２３Ａにより、前記のようにトレイ３００の搬送方向に進退される。このアーム回動軸２２３Ｂの先端部には、前記のように、ロックアーム２２２のアーム駆動面２２２Ｂの切欠部２２２Ｇが係合されている。また、アーム駆動面２２２Ｂとソレノイド本体２２３Ａとの間には、アーム駆動面２２２Ｂを開口部２０１側に付勢する付勢ばね２２３Ｃが設けられている。さらに、アーム回動軸２２３Ｂの開口部２０１側の先端には、引き込み片２２３Ｄが設けられている。そして、ソレノイド本体２２３Ａの駆動によりアーム回動軸２２３Ｂが背面側に移動すると、この引き込み片２２３Ｄがアーム駆動面２２２Ｂに当接して、ロックアーム２２２を回動させ、ロック係合部２２２Ｄがトレイ下面部３２０から離隔する。一方、ソレノイド本体２２３Ａの駆動によりアーム回動軸２２３Ｂが開口部２０１側に移動すると、付勢ばね２２３Ｃによりアーム駆動面２２２Ｂが開口部２０１側に付勢され、ロック係合部２２２Ｄがトレイ下面部３２０に近接する。
【００２８】
回路部は、トレイ３００に設けられる制御回路部と、例えばフレキシブル回路により接続されている。そして、回路部は、例えば制御回路部から入力されるトレイ３００のロックを解除する旨のイジェクト命令信号が入力されると、トレイ移動規制部２２０のソレノイド２２３の駆動を制御してロックアーム２２２を回動させ、トレイ３００のロックを解除する。また、回路部は、ディスク装置１００の外部接続端子に電気的に接続されており、制御回路部から入力された記録媒体の情報を外部接続端子に接続される例えばパーソナルコンピュータなどの装置に出力する。また、外部接続端子から記録媒体に情報を記録させる旨の信号が入力されると、トレイ３００の制御回路部に情報を記録させる旨の信号を出力する。
【００２９】
［ディスク装置の動作］
次に、上記ディスク装置１００の動作について説明する。
【００３０】
図１に示すような、トレイ３００がケース体２００に収納された状態において、利用者が化粧板３０１に設けられたイジェクトボタンを操作すると、このイジェクトボタンから制御回路部を介して回路部にイジェクト命令信号が入力される。そして、回路部はイジェクト命令信号を認識すると、トレイ移動規制部２２０のソレノイド本体２２３Ａに所定量の電流を通電させ、ソレノイド２２３を駆動させる。そして、アーム回動軸２２３Ｂが背面側に移動すると、引き込み片２２３Ｄがアーム駆動面２２２Ｂに当接して背面側に回動させる。これにより、ロックアーム２２２が取付軸２２２Ｃを軸心として回動し、ロック面２２２Ａおよびロック係合部２２２Ｄもトレイ３００のトレイ下面部３２０から離隔する方向に回動して、トレイ３００のロックが解除された状態となる。
【００３１】
そして、上記のようにトレイ３００のロックが解除された状態で、例えば化粧板３０１を引き出すと、トレイ３００がレール部２１０に支持されて外部にスライド移動する。この状態で、ディスク処理部２０のターンテーブル２３に光ディスクの脱着が可能となる。この後、例えば光ディスクをターンテーブル２３にチャッキングさせた状態で、トレイ３００を押し込むと、トレイ３００は、レール部２１０によりケース体２００の内部に案内される。
【００３２】
そして、トレイ３００がさらに背面側に押し込まれ、トレイ下面部３２０に形成されたトレイロック部３３０のテーパ面３３２が、ロックアーム２２２のテーパ面２２２Ｅに当接すると、ロックアーム２２２のロック面２２２Ａは下ケース２０２側に押し出され、ロックアーム２２２が回動する。この後、さらにトレイ３００を背面側に移動させ、トレイロック部３３０の係合面３３１が、ロックアーム２２２のロック係合面２２２Ｆより背面側に移動すると、付勢ばね２２３Ｃによりロックアーム２２２が回動して、ロック係合部２２２Ｄがトレイ３００のトレイ下面部３２０側に移動する。これにより、ロック係合面２２２Ｆと、係合面３３１とが当接して係合され、トレイ３００がケース体２００にロックされる。
【００３３】
この後、利用者の操作入力に基づいて、制御回路部は、装着された光ディスクの情報処理が実施する。この後、例えば利用者によりイジェクトボタンが操作されると、回路部は、上記のイジェクト動作と同様の処理を実施し、トレイ３００のロックを解除する。
【００３４】
〔ディスク装置の作用効果〕
上述したように、上記一実施の形態では、トレイ３００のトレイ下面部３２０に係合面３３１を備えたトレイロック部３３０が設けられている。そして、ロックアーム２２２のロック係合部２２２Ｄをトレイ下面部３２０に対して進退させて、トレイロック部３３０とロック係合部２２２Ｄの係脱状態によりトレイのロックおよびロック解除を実施している。このため、トレイロック部３３０の搬送方向に対して直交する幅寸法を大きくできる。したがって、ディスク装置１００に衝撃などが加わった場合でも、その負荷を効率よく分散でき、トレイ３００のロック時のロック強度を高めることができる。よって、トレイ３００をケース体に安定してロックさせることができる。
【００３５】
また、上記のようなディスク状の光ディスクの搬送をトレイ３００の進退により実現するタイプのディスク装置１００では、トレイ３００とケース体２００との間に空間ができるため、トレイロック部３３０およびトレイ移動規制部２２０をこの様な空間に光ディスクに干渉することなく配置することができる。
【００３６】
さらに、トレイロック部３３０は、トレイ３００の幅方向に沿って長手に形成されている。このため、トレイ３００の外周部に沿ってロック部を形成すれば、ディスク装置１００の内部を圧迫することがなく、ディスク装置１００の小型化、薄型化にも対応できる。
【００３７】
そして、上記実施の形態のようにトレイ３００がレール部２１０に沿って平面方向に進退し、ロック係合部２２２Ｄは、このトレイ３００のトレイ下面部の平面に対して進退する。このため、トレイ３００の移動方向とロック係合部２２２Ｄの移動方向が略直交するので、衝撃などによりトレイ３００が搬送方向に力を受けたとしても、ロック係合部２２２Ｄが外れにくく、ロック強度をより高くすることができる。
【００３８】
また、トレイ移動規制部２２０は、ソレノイド２２３および付勢ばね２２３Ｃによりロックアーム２２２を取付軸２２２Ｃを軸心として回動させている。このため、ソレノイド２２３を制御するだけで容易にロックアーム２２２の回動を制御できる。したがって、トレイ移動規制部２２０の構成を簡単にすることができる。
【００３９】
さらには、ロックアーム２２２のロック面２２２Ａは、水平部２２２Ａ１、傾斜部２２２Ａ２、および係合形成部２２２Ａ３を備えている。このため、取付軸２２２Ｃをよりトレイ３００側に近接させて配置することができる。従って、ディスク装置１００の厚み寸法の増大を抑えることができる。
【００４０】
〔実施形態の変形〕
なお、本発明は、上述した一実施の形態に限定されるものではなく、本発明の目的を達成できる範囲で以下に示される変形をも含むものである。
【００４１】
例えば、図５および図６に示すように、２つ以上のロックアーム２２５を連結させた構成としてもよい。すなわち、トレイ３００の両側面近傍には、トレイ下面部３２０から突出する２つのトレイロック部３３０が形成されている。そして、ケース体２００には、トレイ３００が収納された状態で、これらのトレイロック部３３０に対向する位置に第一ロックアーム２２６および第二ロックアーム２２７が設けられている。第一ロックアーム２２６および第二ロックアーム２２７は、それぞれ、トレイロック部３３０と対向する第一および第二ロック面２２６Ａ，２２７Ａ、およびこれらの第一および第二ロック面２２６Ａ，２２７Ａと略直交する第一および第二アーム駆動面２２６Ｂ，２２７Ｂを備えている。そして、ロックアーム２２２と同様に、第一ロック面２２６Ａおよび第一アーム駆動面２２６Ｂの間、第二ロック面２２７Ａおよび第二アーム駆動面２２７Ｂの間には、それぞれ取付軸２２６Ｃ，２２７Ｃが設けられ、第一ロックアーム２２６および第二ロックアーム２２７をそれぞれ回動自在に支持している。また、第一ロック面２２６Ａ、第二ロック面２２７Ａには、上記実施の形態のロックアーム２２２と同様に、トレイ下面部３２０に対向して突出するロック係合部２２２Ｄが設けられている。また、第一アーム駆動面２２６Ｂには、切欠部２２６Ｇが形成されている。そして、ロックアーム２２５は、これらの第一ロックアーム２２６の第一アーム駆動面２２６Ｂおよび第二ロックアーム２２７の第二アーム駆動面２２７Ｂが連結部２２８により連結されることで一体形成されている。このようなロックアーム２２５では、第一および第二ロックアーム２２６，２２７のロック係合部２２２Ｄをトレイ３００の両側面側に設けられるトレイロック部３３０に係合させることで、トレイ３００の両側面をロックすることができる。また、これらの第一および第二ロックアーム２２６，２２７のロック係合部２２２Ｄのロック係合面２２２Ｆをトレイ３００の搬送方向に略直交する一直線上に配置することで、ディスク装置１００に衝撃が加わった際に、その衝撃負荷を効果的に分散することができる。したがってトレイ３００のロック強度をより良好に高めることができる。また、第一ロックアーム２２６の切欠部２２６Ｇにソレノイド２２３のアーム回動軸２２３Ｂを係合させるだけで、第一および第二ロックアーム２２６，２２７を同時に駆動させることができる。このため、１つの駆動源で、２つのロックアーム２２６，２２７を駆動させるができ、省エネルギー化、ディスク装置１００の内部の省スペース化に優れており、ディスク装置１００の小型化にも対応することができる。
【００４２】
また、上記のようなロックアーム２２５において、回路部や制御回路部に連結部２２８が干渉しないように、連結部２２８を屈曲させて形成する構成としてもよい。このような構成では、連結部２２８が回路部やトレイ３００に設けられる制御回路部などに干渉することがなく、良好にトレイ３００をロックすることができる。
【００４３】
また、トレイロック部３３０がトレイ３００の両側面近傍にそれぞれ設けられ、このトレイロック部３３０に対応するトレイ移動規制部２２０が設けられる構成を示したが、トレイロック部３３０がさらに設けられる構成としてもよく、１つのみトレイロック部３３０が設けられる構成としてもよい。この場合、トレイ３００が収納された状態において、これらのトレイロック部３３０に対応する位置にトレイ移動規制部２２０が設けられる構成とすればよい。
【００４４】
さらに、上記実施の形態では、トレイロック部３３０は、トレイ３００のトレイ下面部３２０に形成され、トレイ移動規制部２２０は、下ケース２０２に設けられる構成を示したが、トレイロック部３３０がトレイ３００の上面側に形成され、上ケースにトレイ移動規制部２２０が設けられる構成としてもよい。
【００４５】
さらには、上記実施の形態では、トレイ３００にディスク処理部２０が設けられる薄型のディスク装置１００にロック機構を設ける構成を示したが、これに限らない。本発明のロック機構は、例えば本体にディスク処理部が収納され、トレイのみが本体から進退するタイプのディスク装置など、トレイにて光ディスクを搬送するいかなるディスク装置にも適用することができる。また、ディスク装置としても、上記したように、光ディスクの情報を処理するものに限らず、磁気ディスクやカートリッジタイプの記録媒体を収納可能なディスク装置などにも応用することができる。
【００４６】
そして、上記実施の形態では、係脱部として、トレイ３００のトレイ下面部３２０から突出するトレイロック部３３０を例示したが、これに限らない。例えば、係脱部はトレイ下面部３２０に形成される凹溝部であってもよい。この場合、ロックアーム２２２のロック面２２２Ａには、この凹溝部に係合可能に突出したロック係合部２２２Ｄが形成される。また、ロックアーム２２２のロック面２２２Ａに凹溝部が形成され、トレイ下面部３２０から突出するトレイロック部３３０がこの凹溝部に係合する構成としてもよい。
【００４７】
また、ロックアーム２２２は、ソレノイド２２３により取付軸２２２Ｃを軸心として回動可能に設けられた構成を示したが、これに限らない。例えば、ロック係合部２２２Ｄを有するロック面２２２Ａがソレノイドなどによりトレイ３００に対して進退移動する構成としてもよい。
【００４８】
〔実施の形態の効果〕
上述したように、上記一実施の形態では、トレイ３００のトレイ下面部３２０に係合面３３１を備えたトレイロック部３３０が設けられている。そして、ロックアーム２２２のロック係合部２２２Ｄをトレイ下面部３２０に対して進退させて、トレイロック部３３０とロック係合部２２２Ｄの係脱状態によりトレイのロックおよびロック解除を実施している。このため、トレイロック部３３０の搬送方向に対して直交する幅寸法を大きくできる。したがって、ディスク装置１００に衝撃などが加わった場合でも、その負荷を効率よく分散でき、トレイ３００のロック時のロック強度を高めることができる。
【図面の簡単な説明】
【００４９】
【図１】本発明における一実施の形態のディスク装置の内部構成を示す平面図である。
【図２】ディスク装置のトレイを引き出した際のトレイの構成およびケース体の内部の構成の概略を示す平面図である。
【図３】ロック機構の概略を模式的に示す側面図である。
【図４】ロックアームの構成を示す斜視図である。
【図５】他の実施の形態におけるロック機構の概略を模式的に示す側面図である。
【図６】図５におけるロックアームの構成を示す斜視図である。
【符号の説明】
【００５０】
２４      情報処理部
１００    記録媒体駆動装置としてのディスク装置
２００    外装ケースとしてのケース体
２０１    出入口としての開口部
２２２    ロック機構を構成するロック手段としてのロックアーム
２２２Ｄ  係合部としてのロック係合部
２２８    連結部
３００    ロック機構を構成するトレイ
３３０    係脱部としてのトレイロック部
【図１】
2007149243.tif 000003
【図２】
2007149243.tif 000004
【図３】
2007149243.tif 000005
【図４】
2007149243.tif 000006
【図５】
2007149243.tif 000007
【図６】
2007149243.tif 000008